(57)【要約】【課題】子供や手の不自由な者でも簡単に使用することができるようにする。【解決手段】掬い部２と、この掬い部２の基部に設けられて把持可能な柄部３とを備え、前記柄部３を長手方向に長い環状形状とし、環状部５内に手を入れる手入れ部６を形成している点にある。【選択図】図１
0003122241.tif 000002
【実用新案登録請求の範囲】
【請求項１】
掬い部と、この掬い部の基部に設けられて把持可能な柄部とを備え、前記柄部を長手方向に長い環状形状とし、この環状部内に手を入れる手入れ部を形成していることを特徴とする移植ごて。
【請求項２】
前記環状部の手入れ部は、手を開いた状態で入れることができる長孔とされていることを特徴とする請求項１に記載の移植ごて。
【請求項３】
前記柄部は、掬い部から長手方向に延びる第１把持部と、第１把持部の長手方向両端部側から立ち上がる一対の起立部と、長手方向に延び且つ前記起立部を連結する第２把持部とを備えていて、前記環状部は、第１把持部、第２把持部及び一対の起立部で形成されていることを特徴とする請求項１又は２に記載の移植ごて。
【考案の詳細な説明】
【技術分野】
【０００１】
本考案は、例えば、片手で使用することができる移植ごてに関するものである。
【背景技術】
【０００２】
従来より、移植ごてとして、例えば特許文献１に示すものがある。特許文献１に示す移植ごては、掬い部と、この掬い部の基部に設けられた柄部とを備えている。
柄部は筒状や棒状の形状のもので、この柄部を片手で把持することによって、使用することができる。
【特許文献１】特開２００６−１４６４６号公報
【考案の開示】
【考案が解決しようとする課題】
【０００３】
従来の移植ごての柄部は、大人が使用できるように大きく形成されており、手の小さな子供などは柄部を握って使用することが困難である場合があった。
また、従来の移植ごては、柄部が筒状や棒状の形状であって、その柄部を握って使用することが前提であったため、手が不自由で柄部を握ることが困難である者にとっては使用することが困難な場合があった。
本考案は、上記のような実情に鑑みてされてたもので、その目的とするところは、子供や手の不自由な者でも簡単に使用することができる移植ごてを提供することにある。
【課題を解決するための手段】
【０００４】
前記目的を達成するため、本考案は、次の手段を講じた。
本考案の移植ごては、掬い部と、この掬い部の基部に設けられて把持可能な柄部とを備え、前記柄部を長手方向に長い環状形状とし、環状部内に手を入れる手入れ部を形成している点にある。
前記環状部の手入れ部は、手を開いた状態で入れることができる長孔とされていることが好ましい。
前記柄部は、前記掬い部から長手方向に延びる第１把持部と、第１把持部の長手方向両端部側から立ち上がる一対の起立部と、長手方向に延び且つ前記起立部を連結する第２把持部とを備えていて、環状部は、第１把持部、第２把持部及び一対の起立部で形成されていることが好ましい。
【０００５】
これによれば、長手方向に長い環状形状とし、環状部内に手を入れる手入れ部を形成していることから、手の小さな子供などは、環状部内の手入れ部に手の指を入れることで環状部の一部を把持することができ、子供でも簡単に使用することができる。
さらに、手が不自由で握ることができない者であっても、環状部の手入れ部に手を入れ、例えば、手入れ部に手を入れた状態でその手を長手方向に移動させえれば、手で環状部を押すことが可能となり、掬い部を長手方向に移動させて使用することができる。また、手入れ部に手を入れた状態でその手を上下方向に移動させえれば、掬い部を上下方向に移動させて使用することができる。
【０００６】
また、手入れ部は、手を開いた状態で入れることができる長孔とされていることから、手入れ部に手を非常に入れ易い。
手入れ部に手を入れることで、第１把持部や第２把持部をそれぞれ個別で握ることができ、手入れ部に手を入れなければ、第１把持部と第２把持部との両方を握ることもでき、使用者の使用形態に応じて様々な握り方ができる。
【考案の効果】
【０００７】
本考案によれば、子供や手の不自由な者でも簡単に使用することができる。
【考案を実施するための最良の形態】
【０００８】
以下、本考案の実施の形態を図面に基づいて説明する。
図１〜３は、本考案の移植ごてを示している。
この移植ごて１は、片手で使用することができるものであり、掬い部２と、この掬い部２の基部に設けられた柄部３とを備えている。
掬い部２は、土や砂などを掬うことができるもので、例えば、合成樹脂や金属等により薄板から構成されている。この掬い部２は基部から先端部にいくにしたがってその幅が小さくなるように先細り状となっていて、先端部から基部にいくにしたがって深さが次第に深くなるように構成されている。
【０００９】
以下、説明の便宜上、移植ごて１の先端部側を前側と言い、移植ごて１の基部側を後側と言い、前後方向を長手方向と言い、移植ごて１の幅方向を左右方向と言い、左右方向及び前後方向に直行する方向を上下方向と言うことがある。
掬い部２の基部側で上側縁部には、後側に向けて突出する突出部４が設けられている。この突出部４は平面視で円弧状となっている。
柄部３は把持することで掬い部２を動かしたり、又、把持しなくても掬い部２を動かすことができる形状となったもので、掬い部２の基部の左右方向中央部から後側に突出している。
【００１０】
詳しくは、柄部３は長手方向に長い環状形状となっていて、環状部５内に手を入れる手入れ部６が形成されている。この手入れ部６は、手を開いた状態で入れることができる長孔とされている。
したがって、手入れ部６に手を開いて差し入れ、差し入れた手を長手方向に移動すれば、開いた手が環状部５の内面に当たり、環状部５を押す手の押圧力で、掬い部２を移動させることができる。
以下、柄部３についてさらに詳しく説明する。
【００１１】
柄部３は、掬い部２の基部側から長手方向に延びる第１把持部８と、第１把持部８の長手方向両端部側から立ち上がる前後一対の起立部９Ｆ，９Ｒと、長手方向に延び且つ起立部９Ｆ，９Ｒを連結する第２把持部１０とを備えている。
第１把持部８、前後一対の起立部９Ｆ，９Ｒ及び第２把持部１０は、合成樹脂等により一体化されている。
第１把持部８は板状のもので、その一端（前側）は掬い部２の後部に連結されていて、後側へと延びたものとなっている。第１把持部８の前側には、一方の起立部９Ｆ（前起立部９Ｆ）が設けられ、第１把持部８の後側に他方の起立部９Ｒ（後起立部９Ｒ）が設けられている。
【００１２】
各起立部９Ｆ，９Ｒは、第１把持部８と略同じ幅を有する板状のもので、第１把持部８のそれぞれの端部から上方に延びたものとなっている。各起立部９Ｆ，９Ｒは、側面視で円弧形状となっている。
第２把持部１０は、第１把持部８と略同じ幅を有する板状のもので、その一端（前側）は前起立部９Ｆに連結され、他端（後側）は後起立部９Ｒに連結されている。
第１把持部８と第２把持部１０とは上下に重合していて、第１把持部８の内面と第２把持部１０の内面とは略平行となっている。
【００１３】
以上、第１把持部８、各起立部９Ｆ、Ｒ、第２把持部１０によって、柄部３の環状部５が形成され、第１把持部８の内面、前後起立部９Ｆの内面、第２把持部１０の内面によって手入れ部６が形成されている。
この実施の形態では、手入れ部６の長さＬ１（手入れ部６の長径）は１２６ｍｍ程度となっており、手入れ部６の高さＬ２（手入れ部６の短径）は２４ｍｍ程度となっている。手入れ部６の幅Ｌ３（手入れ部６の奥行）は２０ｍｍ程度となっている。また、この実施の形態では、第１把持部８、各起立部９Ｆ，９Ｒ及び第２把持部１０の厚みｔは６ｍｍ程度となっている。
【００１４】
以下、移植ごて１を使用する態様を、代表的な例をあげて説明する。
図４に示すように、手のひらを下側に向けた状態で、手のひらを第２把持部１０の外面（上面）に近づけ、手入れ部６に手（指）を左右方向一方側から差し入れて、差し入れた手（指）を手のひら側に曲げることで、第２把持部１０を把持することができる。このように、第２把持部１０を把持することで移植ごて１を使用することができる。
また、手のひらを下側に向けた状態で、指を手入れ部６に向けて左右方向一方側から差し入れ、差し入れた手（指）を手のひら側に曲げることで、第１把持部８を把持することができる。このように、第１把持部８を把持することで移植ごて１を使用することができる。
【００１５】
図５に示すように、手を開いてその手のひらを上に向けた状態で、手（指）を手入れ部６に向けて左右方向一方側から差し入れ、手（指）を差し入れた状態でその手を長手方向に動かせば、掬い部２を長手方向に移動させることができる。
このように、手入れ部６に手（指）を入れ、その手（指）を長手方向に移動させることで移植ごて１を使用することができる。なお、手入れ部６に手を差し入れた状態で、その手を上下方向に移動させることでも移植ごて１を使用することができる。
また、、手のひらを下側に向けた状態で、手のひらを第２把持部１０の上面に近づけ、手入れ部６に手（指）を入れず、指を第１把持部８の下側から折り返すことで、第１把持部８及び第２把持部１０の両方を把持することができる。このように、第１把持部８及び第２把持部１０の両方を把持することで移植ごて１を使用することができる。
【図面の簡単な説明】
【００１６】
【図１】本考案の移植ごての斜視図である。
【図２】移植ごての側面図ある。
【図３】移植ごての平面の概略図である。
【図４】移植ごてを把持して使用する使用状態を示す図である。
【図５】移植ごてを把持せずに使用する使用状態を示す図である。
【符号の説明】
【００１７】
１    移植ごて
２    掬い部
３    柄部
５    環状部
６    手入れ部
８    第１把持部
９    起立部
１０  第２把持部
【図１】
0003122241.tif 000003
【図２】
0003122241.tif 000004
【図３】
0003122241.tif 000005
【図４】
0003122241.tif 000006
【図５】
0003122241.tif 000007